(57)【特許請求の範囲】
【請求項１】
液透過性の表面シート、液不透過性の防漏シート、及び液保持性の吸収体を備え、実質的に縦長である吸収性本体と、該吸収性本体の長手方向左右両側に、それぞれシート材を配して形成された一対の立体ガードとを具備する吸収性物品において、
前記防漏シートは、前記吸収体の側縁との間に排泄物捕捉用の空洞部を形成するように、配されており、
前記シート材は、吸収性物品の長手方向に間欠的に前記吸収性本体に固着されて、複数の固着部を形成しており、
各前記固着部間に前記空洞部に排泄物を導入するための開口部が形成されており、
前記表面シートは、複数個の襞を形成するように複数回折り込まれており、前記固着部は、前記シート材を、各襞に固着して形成されている
吸収性物品。
【請求項２】
前記開口部は、各前記固着部間において、装着時に前記シート材がたるむように、前記シート材を吸収性本体に固着させて形成されている請求項１記載の吸収性物品。
【発明の詳細な説明】
【０００１】
【発明の属する技術分野】
本発明は、漏れ防止性に優れた、使い捨ておむつ等の吸収性物品に関する。
【０００２】
【従来の技術及び発明が解決しようとする課題】
使い捨ておむつ等の吸収性物品においては、漏れを効果的に防止することが重要な課題である。特に、排泄物が軟便等の粘度の高いものである場合に漏れを効果的に防止するのは困難であった。
軟便等に対する漏れ防止性を向上させるために、特許第２５７２７４４号公報には、レッグ部に弾性部材が配されてレッグギャザーが形成されてなる使い捨ておむつにおける吸収体の周縁に立体ガードを形成し、係る立体ガードのうち吸収体の左右両側に位置する部位の長手方向中央部分で且つ幅方向中間を固定して、前後に排泄物捕捉用のポケットを形成してなる使い捨ておむつが提案されている。
しかし、このような提案に係る使い捨ておむつにおいても、未だ漏れを防止するのに十分でなく、更に漏れ防止性に優れた吸収性物品が要望されている。
【０００３】
従って、本発明の目的は、軟便等の粘度の高い排泄物に対する漏れ防止性の高い吸収性物品を提供することにある。
【０００４】
【課題を解決するための手段】
本発明は、液透過性の表面シート、液不透過性の防漏シート、及び液保持性の吸収体を備え、実質的に縦長である吸収性本体と、該吸収性本体の長手方向左右両側に、それぞれシート材を配して形成された一対の立体ガードとを具備する吸収性物品において、前記防漏シートは、前記吸収体の側縁との間に排泄物捕捉用の空洞部を形成するように、配されており、前記シート材は、吸収性物品の長手方向に間欠的に前記吸収性本体に固着されて、複数の固着部を形成しており、各前記固着部間に前記空洞部に排泄物を導入するための開口部が形成されており、前記表面シートは、複数個の襞を形成するように複数回折り込まれており、前記固着部は、前記シート材を、各襞に固着して形成されている吸収性物品を提供することにより、前記目的を達成したものである。
【０００５】
【発明の実施の形態】
以下、本発明の吸収性物品の好ましい１実施形態について説明する。
本実施形態の吸収性物品としての使い捨ておむつ１は、図１〜３に示すように、液透過性の表面シート２、液不透過性の防漏シート３、及び液保持性の吸収体４を備え、実質的に縦長である吸収性本体１０と、吸収性本体１０の長手方向左右両側に、それぞれシート材６１を配して形成された一対の立体ガード６とを具備する。
【０００６】
本実施形態の使い捨ておむつ１は、吸収体４を表面シート２と防漏シート３とにより狭持固定してなる。
また、着用時に着用者の腹側に位置する腹側部Ａ及び背側に位置する背側部Ｂにおけるウエスト開口部８には、それぞれウエスト部弾性部材８１が配されてそれぞれウエストギャザーが形成されている。そして、背側部Ｂの左右両側縁部Ｂ１，Ｂ２には、それぞれ使い捨ておむつ止着用のファスニングテープ１１が設けられている。
また、立体ガード６は、それぞれ、細帯状のシート材６１を腹側のウエスト開口縁から背側のウエスト開口縁にかけて配して形成されている。そして、シート材６１は、その長手方向端縁が、ウエスト開口部８側で表面シート２に固着されている。また、自由縁端６３には、立体ガード弾性部材６４が配されている。
【０００７】
而して、本実施形態の使い捨ておむつ１において、防漏シート３は、吸収体４の側縁４ａとの間に排泄物捕捉用の空洞部９を形成するように、配されており、シート材６１は、おむつの長手方向に間欠的に吸収性本体１０に固着されて、複数の固着部６５を形成しており、各基端６０間に空洞部９に排泄物を導入するための開口部９０が形成されている。
【０００８】
以下、更に詳述する。
先ず、股下部Ｃ（着用時に着用者の股下に位置し、両側に着用者の脚回りに当接するレッグ部７が形成される部位）について説明すると、表面シート２は、複数個の襞２１を形成するように複数回折り込まれており、シート材６１は、各襞２１に固着されている。
襞２１は、各襞２１が使い捨ておむつの長手方向に並ぶように形成されて、全体で蛇腹状になされている。また、襞２１は、おむつの股下部を形成する長手方向中央部分に形成されている。また、各襞２１は、それぞれ腹側部内側に向けて傾斜されている。なお、この傾斜は、腹側部の外側に向けられていても良い。
そして、開口部９０は、表面シート２とシート材６１とが固着された部位、即ち、固着部６５間において、装着時にシート材６１がたるむように、シート材６１を襞２１が形成された表面シート２に固着して配することにより、形成されている
【０００９】
そして、固着部６５は、シート材６１を、襞２１の頂部２１ａ、本実施形態においては頂点近傍で表を向いている部分に固着して形成されている。
襞２１の長さＬは、０．２〜５ｃｍとするのが好ましく、間隔Ｔは、０．２〜１０ｃｍとするのが好ましい。
また、各固着部６５間の間隔は、形成される開口部９０の大きさが軟便等の排泄物を通過させるのに十分な大きさ、具体的には０．０４〜４０ｃｍ2 となるようにするのが好ましく、本実施形態のように上述の長さの襞２１に接着されて形成された各固着部６５の間隔は、０．２〜１０ｃｍとするのが好ましい。
また、固着部６５は、シート材６１を点接着することにより形成されている。
【００１０】
また、吸収体４は、股下部Ｃに位置する部分が凹欠されており、吸収体４の凹欠された部分の外方に、防漏シート３で囲まれた空洞部９が形成されている。即ち、空洞部９は、股下部Ｃにのみ形成されている。また、防漏シート３は、股下部Ｃにおいては、吸収体４の側縁上方に掛かる程度に配されている。
空洞部９の大きさは、軟便等の排泄物を収容するに十分な大きさであれば特に制限されないが、具体的には、１〜２０００ｃｍ3 とするのが好ましい。
【００１１】
次に、腹側部Ａ及び背側部Ｂについて説明すると、表面シート２は、フラットな形状で配されており、また、防漏シートは、吸収体４の側面及び側部上方を覆って配されている。
また、本実施形態の使い捨ておむつ１は、全体の平面形状は、長方形状である。具体的には、吸収体４は、中央部分の左右両側部が幅狭の溢れた砂時計状とされており、防漏シート３は、吸収体４の裏面及び側面を覆って、防漏シート３の左右両側縁３ａが上述のように吸収体４の側部の表面側に位置するように配されている。また、表面シート２の左右両側縁２ａ及びシート材６１における自由縁端に対向する側の側縁端６１ａは、それぞれ、防漏シート３の内方に位置されている。即ち、表面シート２の左右両側縁及びシート材６１の側縁端は、それぞれ吸収体４の上方側に位置し、防漏シート３は、その側縁ａが該左右両側縁２ａ及び側縁端６１ａを覆うように配されている。
【００１２】
次に、本実施形態の使い捨ておむつを構成する各部材の形成材料について説明する。
前記表面シート２、前記吸収体４、前記ウエスト部弾性部材８１及び前記ファスニングテープ１１の形成材料としては、通常、使い捨ておむつに用いられるものを特に制限なく用いることができる。
【００１３】
前記シート材６１は、通気性のシートであるのが好ましく、その透気度は５００ｓｅｃ／１００ｃｃ以下が好ましく、１００ｓｅｃ／１００ｃｃ以下であるのがより好ましく、２０ｓｅｃ／１００ｃｃ以下であるのが更に好ましい。透気度を５００ｓｅｃ／１００ｃｃ以下とすることにより、通気効果が良好で、着用時におむつ内部が蒸れることがなく、カブレ等の装着者の肌へ悪影響を及ぼすことが少なくなる。
また、前記シート材６１の耐水圧（撥水度）は３．０ｇ／ｃｍ2 以上が好ましく、５．０ｇ／ｃｍ2 以上が更に好ましい。耐水圧を３．０ｇ／ｃｍ2 以上とすることにより、排泄物の滲み出しが少なく、漏れ防止効果が高くなる。
このような条件を満足するシート材６１の形成材料としては、スパンボンド、サーマルボンド、スパンボンド−メルトブローン不織布（ＳＭ）、スパンボンド−メルトブローン−スパンボンド不織布（ＳＭＳ）、スパンボンド−メルトブローン−メルトブローン−スパンボンド不織布（ＳＭＭＳ）、ヒートロール、エアースルー、メルトブローン、スパンレース不織布等が挙げられる。
【００１４】
また、前記シート材６１は伸縮性を有していてもよく、その場合の形成材料としては、液透過性又は液不透過性の弾性シート、弾性ネット、複合化された弾性パネル材等が挙げられるが、装着感の観点から、各種不織布（弾性及び非弾性のものを含む）、又は各種不織布（弾性及び非弾性のものを含む）を弾性を有する材（熱可塑性エラストマーフィルム及びネット）と複合化した弾性パネル材を用いるのが好ましい。
また、前記シート材６１に伸縮性の材を用いた場合、伸縮の方向については特に制限はないが、おむつの長手方向に対して垂直方向に伸縮性を有するもの、平行方向に伸縮性を有するもの、また、両方向に伸縮性を有するものが好ましい。
【００１５】
なお、透気度及び耐水圧は、下記のようにして測定される。
〔透気度〕
ＪＩＳ−Ｐ８１１７に準じて測定した。即ち、シートを７０×７０ｍｍの大きさに裁断し、透気度測定器（王研式透気度測定器）を用いて１００ｍｌの空気が透過するのに要する時間を測定した。
〔耐水圧〕
ＪＩＳ−Ｌ１０９２に準じて測定した。
【００１６】
また、前記防漏シート３は、通常、使い捨ておむつに用いられるものを特に制限なく用いることができるが、不織布と液不透過性フィルムシートとの積層材料やラミネート加工されたもの、接着剤（ホットメルト接着剤等）で貼り合わせられたもの等の液不透過性に優れ且つ着用者の肌に触れても着用者が不快に感じない材料であることが好ましい。
また、前記防漏シート３は、伸縮性を有していても良い。即ち、防漏シート３を構成する不織布と液不透過性フィルムシートとがさらに伸縮性を有していてもよく、そのような条件を満足する液不透過性フィルムシート及び不織布の形成材料としては、従来使用されている炭酸カルシウム等の無機物質を含有したポリオレフィン系（ポリエチレン、ポリプロピレン等）やポリエステル系等の高分子樹脂シートに熱処理、エンボス処理、開口処理又はスリット処理等の２次加工を施して得られるシート；ポリオレフィン系（ポリエチレン、メタロセン系ポリエチレンなど）、ポリウレタン系、ポリエステル系、ポリエーテル系、ポリスチレン系、スチレン−ブタジエン−スチレン共重合体（ＳＢＳ）、スチレン−イソプレン−スチレン共重合体（ＳＩＳ）、スチレン−エチレン−ブチレン−スチレン共重合体（ＳＥＢＳ）、スチレン−エチレン−プロピレン−スチレン共重合体（ＳＥＰＳ）等の熱可塑性エラストマーシート、熱可塑性エラストマー及び弾性材を用いたスパンボンド、サーマルボンド、ＳＭ、ＳＭＳ、ＳＭＭＳ、ヒートロール、エアースルー、メルトブローン、スパンレース不織布等が挙げられる。また、不織布の形成材料としては、シート材６１に用いられる不織布として例示したものを用いることができる。
また、これらの形成材料の中でも、透湿度が０．５ｇ／〔１００ｃｍ2 ・ｈｒ〕以上のものが好ましく、さらに、耐水圧が５．０ｇ／ｃｍ2 以上のものが好ましく、５０ｇ／ｃｍ2 以上のものがより好ましい。
なお、透湿度は、ＪＩＳ−Ｚ０２０８に準じて測定した。
【００１７】
なお、本発明の使い捨ておむつにおいては、図５に示すように、防漏シート３の表面に吸収体４の左右両側縁よりも吸収性物品の幅方向外方に両側部が延出されるようにサイドフラップ形成材５１が配されている形態としても良い。サイドフラップ形成材５１としては、通気性のある不織布が好ましく、更には伸縮性を有するものが好ましい。このようなサイドフラップ形成材としては、上述したシート材６１の形成材料として用いられる前記不織布として例示したもの等が用いられる。
そして、吸収体４の側縁から幅方向外方に一対のサイドフラップ部５が形成された形態とした場合、サイドフラップ部５、サイドフラップ形成材５１、シート材６１及び防漏シート３の少なくとも何れかが伸縮性を有するように形成することもできる。
【００１８】
前記立体ガード弾性部材６４は、従来公知の弾性部材を制限なく用いることができる。
【００１９】
本実施形態の使い捨ておむつは、通常の展開型の使い捨ておむつと同様に使用することができる。
そして、本実施形態の使い捨ておむつにおいては、排泄物が、開口部９０を通じて空洞部９に収容されるため、軟便等の粘性の排泄物に対しても漏れ防止性が向上される。
【００２０】
本実施形態の使い捨ておむつは、常法に従い、吸収体及びウエスト部弾性部材を、立体ガード弾性部材が配されたシート材を所定位置に固着しつつ、防漏シート及び表面シートで挟持固定する等して得られる。
【００２１】
次に、図４を参照して本発明の第２の実施形態について説明する。
なお、以下の説明においては、第１の実施形態と異なる点について特に詳述する。特に詳述しない点については、第１の実施形態においてした説明が適宜適用される。
図４に示す第２の実施形態において、立体ガード６は、その基端６０が吸収体４の側部上方側に位置し、基端６０に連なる下方部６ａで吸収性物品の外方に向けられていると共に、基端６０と自由縁端６３との間で吸収性物品の内方に向けて折り返されており、立体ガード弾性部材６４は、立体ガード６の自由縁端６３及び折り返されて形成された折曲部６６に配されており、防漏シート３は、吸収体４の側面及び側部表面側を覆うように配されている。
【００２２】
更に詳述すると、立体ガード６は、立体ガード形成用のシート材６１を、吸収体４と防漏シート３との間に吸収体４の裏面側全面を覆うように配して、形成されている。シート材６１は、吸収体４の側部上方で表面シート２に固定されており、この固着された部分の縁端により、基端６０が形成されている。シート材６１は、その長手方向端縁６１ａが、それぞれウエスト開口部８側で表面シート２及び後述するサイドフラップ形成材５に固着されている。
立体ガード６は、本実施形態においては、基端６０で外方に向けて折り曲げられているが、下方部であればどこで折り曲げても良い。ここで、「下方部」とは、基端６０を含む基端近傍の部分を意味し、具体的には、基端６０から自由縁端６３側に０〜５ｃｍ距離を開けた部位を意味する。
そして、折曲部６６において折り返されて、全体として、自然状態においてはくの字状になされている。
また、防漏シート３は、吸収体４の周面を覆って配されたシート材６１の表面を覆って配されており、裏面側から側部表面にかけて覆うように配されている。また防漏シート３の側縁３ａは、基端６０とほぼ同位置に位置するように配されている。
【００２３】
外方に折り曲げられた部位（本実施形態においては基端６０）から折曲部６６までの長さは、０．５〜５ｍｍとするのが好ましく、折曲部６６から自由縁端６３までの長さは０．５〜５ｍｍとするのが好ましい。
【００２４】
尚、上述の実施形態の説明においては、レッグ部にギャザーが形成されていないものを例示して説明したが、本発明はこれに制限されず、レッグギャザーを有する形態としても良い。
空洞部９は、股部以外の部位にも設けても良い。
吸収体４は長方形状としてもよい。
また、表面シート２にエンボス加工を施して、溝を形成しておき、開口部９０を形成してもよい。
立体ガード弾性部材６４は、自由縁端６３に１本、また、自由縁端６３から基端６０までの間に４本配されている。各立体ガード弾性部材６４は、自由縁端６３において折り返されたシート材６１により、接着剤を介して狭持固定されている。また、各立体ガード弾性部材６４は、それぞれ、自由縁端６３に平行に且つおむつの長手方向に沿って配されている。
また、上述の実施形態においては、展開型の使い捨ておむつを例示して説明したが、本発明は、これに制限されず、パンツ型の使い捨ておむつや、更には失禁パットや生理用ナプキン等に適用できる。
また、立体ガードの中間部の一部が吸収体の側部上方又はサイドフラップ部に接合されていても良い。
背側部及び腹側部の両側若しくは何れか一方にウエスト部からの漏れを防ぐために、立体ガード弾性部材を備えた立体ガードが形成されていても良い。この場合には、立体ガード周辺に本発明における空洞部及び開口部が形成されるように構成しても良い。このように構成することにより、ウエスト部からの軟便の漏れをより効果的に防止することができる。
立体ガードまたは立体ガードに配された弾性部材が湾曲して立体ガードまたは立体ガードに配された弾性部材の端部がテープファスナーの支持部分に隣接していても良い。この場合には、テープファスナーと立体ガード弾性部材とが連動するため、フィット性がより向上する。
立体ガードの基端部から自由縁端の間の一部に液不透過性フィルムがラミネートされていても良い。この場合には、立体ガードからの排泄物の滲み出しをより効果的に防止でき、漏れ防止効果がより向上される。
立体ガード自体が伸縮性であっても良い。
吸収体を構成する材に撥水性の台紙、不織布及び液不透過性フィルムを用いても良く、これらの材で吸収部の下部及び側部を覆っても良い。この場合、装着者の体圧で一度吸収した排泄物が吸収体から滲み出すことを防止するのに有効である。
【００２５】
【発明の効果】
本発明の吸収性物品は、軟便等の粘性の高い排泄物に対しても漏れ防止性の高いものである。
【図面の簡単な説明】
【図１】図１は、本発明の第１の実施形態としての使い捨ておむつの自由状態における表面シート側を示す斜視図である。
【図２】図２は、弾性部材を伸張状態とした状態における図１のＸ−Ｘ断面図である。
【図３】図３は、弾性部材を伸張状態とした状態における図１のＹ−Ｙ断面図である。
【図４】図４は、本発明の第２の実施形態としての使い捨ておむつを示す幅方向断面図（図３相当図）である。
【図５】図５は、本発明の更に他の実施形態としての使い捨ておむつを示す幅方向断面図（図３相当図）である。
【符号の説明】
１  使い捨ておむつ
１０  吸収性本体
１１  ファスニングテープ
２  表面シート
３  防漏シート
４  吸収体
５  サイドフラップ部
５１  サイドフラップ形成材
６  立体ガード
６０  基端
６１  シート材
６３  自由縁端
６４  立体ガード弾性部材
８  ウエスト開口部
８１  ウエスト弾性部材
Ａ  腹側部
Ｂ  背側部
【図１】
0003942309.tif 000002
【図２】
0003942309.tif 000003
【図３】
0003942309.tif 000004
【図４】
0003942309.tif 000005
【図５】
0003942309.tif 000006